(57)【特許請求の範囲】
【請求項１】
中空本体及び環状フランジを有する複数の耳式体温計プローブカバーを積み重ねて収納する本体を含み、その一端に、耳式体温計のプローブを前記本体内の耳式体温計プローブカバーに挿入する取出口を有する収縮可能な耳式体温計プローブカバー取出し容器であって、
前記本体は、前記取出口に対する他端に、前記本体内の耳式体温計プローブカバーを積載する支持部を有し、
本体の取出口の近くの内側に制止素子を設けることで、耳式体温計プローブカバーが力を受けない状態のときに耳式体温計プローブカバーの環状フランジを係止して、プローブカバーが収縮可能な取り出し容器から外れるのを防止し、
耳式体温計プローブカバーを耳式体温計プローブカバー取出し容器に収容するときに、環状フランジの半径が環状フランジの中心から本体の少なくとも１つの環状フランジに接していない側辺までの距離よりも大きいことにより、本体の可撓性材質を介しこの本体の環状フランジに接していない側辺を環状フランジによって外に突き出させて環状フランジと接するようにして、プローブカバーが取り出し容器から落下することを防止し、
前記本体は、複数段の部材が接続してなり、
各部材は少なくとも１つの折り曲げ部を含み、該部材の長手方向が圧縮力を受けたときに、前記折り曲げ部が折り曲がり収縮して、前記本体を長手方向に沿って収縮させることを特徴とする、
収縮可能な耳式体温計プローブカバー取出し容器。
【請求項２】
中空本体及び環状フランジを有する複数の耳式体温計プローブカバーを積み重ねて収納する本体を含み、その一端に、耳式体温計のプローブを前記本体内の耳式体温計プローブカバーに挿入する取出口を有する収縮可能な耳式体温計プローブカバー取出し容器であって、
前記本体は、前記取出口に対する他端に、前記本体内の耳式体温計プローブカバーを積載する支持部を有し、
前記本体は、複数段の部材が相互に内外に重なり合ってなり、
前記部材の側壁は、少なくとも１セットの長手方向に配列した複数の窪み部を有し、その対応する部材の側壁に、少なくとも１つの保持部が設けてあり、
前記本体の長手方向が圧縮力を受けるとき、部材が相互に移動して収縮し、前記対応する部材に位置する保持部を、その対応する部材の窪み部と嵌合させることによって固定して、抜けないようにし、
前記保持部にはガイド面及び制止面が設けられ、該ガイド面によって、外部部材の窪み部内をスムーズにスライドさせることができ、内部部材の制止面が外部部材の窪み部にちょうど引っかかり、内部部材を外部部材の中に収納し、外部部材から逆向きにはずれにくくするため、部材の間が収縮し、固定し、抜けないようにすることを特徴とする、
収縮可能な耳式体温計プローブカバー取出し容器。
【請求項３】
中空本体及び環状フランジを有する複数の耳式体温計プローブカバーを積み重ねて収納する本体を含み、その一端に、耳式体温計のプローブを前記本体内の耳式体温計プローブカバーに挿入する取出口を有する収縮可能な耳式体温計プローブカバー取出し容器であって、
前記本体は、前記取出口に対する他端に、前記本体内の耳式体温計プローブカバーを積載する支持部を有し、
前記本体は、複数段の部材が相互に内外に重なり合ってなり、
前記部材は特定の摩擦面を有し、前記本体の長手方向が圧縮力を受けるとき、各部材間の摩擦面が相互に移動して摩擦をもたらし、内部部材及びその対応する外部部材が、前記摩擦によって相互に固定され、抜けないようにし、
使用者が収縮可能な取り出し容器からプローブカバーの一つを取り出すときに、部材の粗面から生じる各部材間の接触摩擦力が、使用者が取り出すときの伸長方向への力よりも大きく、プローブカバーを取り出す動作のために収縮可能な取出し容器の長さが長くなることを防止することができることを特徴とする、
収縮可能な耳式体温計プローブカバー取出し容器。
【発明の詳細な説明】
【技術分野】
【０００１】
本発明は、収縮可能な耳式体温計プローブカバー取出し容器及びその製造方法を提供し、特に耳式体温計プローブカバーを取り出し、耳式体温計のプローブへの装着を完了し、耳式体温計プローブカバーへの外部の接触を避けることができる耳式体温計プローブカバー取出し容器に関する。
【背景技術】
【０００２】
現在、市販されている耳式体温計プローブカバー取出し容器は、使用上便利でなく、使用者又は医療看護要員は、耳式体温計プローブカバー容器から耳式体温計プローブカバーを手で直接取り出し、耳式体温計プローブカバーを耳式体温計に装着する必要がある。
特に、赤外線耳式体温計で耳式体温計プローブカバーを装着する際には、感染を防止すると同時に、耳式体温計のプローブを清潔に保つ必要がある。
特許文献１、２及び３に記載の従来技術においては、メカニズムによって自動的に供給する方式を利用して耳式体温計プローブカバーを装着し、その関連製品はすでに病院で使用されているが、そのメカニズムが複雑で、かつ体積が大きく、耳式体温計プローブカバーを供給メカニズムに装着するにしても、供給メカニズムから耳式体温計プローブカバーを取り出すにしても、使用上便利ではないという問題がある。
【０００３】
また、ドイツのＢｒａｕｎ社が販売している耳式体温計プローブカバー包装紙ケースは、使用者が直接耳式体温計の側辺から包装紙ケースを挿入し、カバーを装着することができるが、この包装紙ケースの側辺は片面を裂いて開く必要があるため、包装紙ケースが不完全になる問題があるだけでなく、耳式体温計プローブカバーが外部に直接晒されるため、使用者の手、又はその他の異物が耳式体温計プローブカバーに直接接触する可能性があり、耳式体温計プローブカバーの感染の問題をもたらし、さらにこの種の装着法は耳式体温計プローブの外形寸法の設計を制限する。
【０００４】
公知の耳式体温計プローブカバー取出し容器は、使用者、又は医療看護要員の使用上の不便及び困難をもたらすことは明らかである。
そのため、便利で有効な耳式体温計プローブカバー取出し容器をいかにして提供し、医療看護要員がさらに便利に使用することができ、医療看護要員が耳式体温計プローブカバーに直接接触することを防止することができるかが、業界において解決すべき課題となっている。
【０００５】
【特許文献１】米国特許第ＵＳ４９９３４２４号
【特許文献２】米国特許第ＵＳ５１０００１８号
【特許文献３】米国特許第ＵＳ６８４０４０２号
【発明の開示】
【発明が解決しようとする課題】
【０００６】
前記の課題を解決するため、本発明は、収縮可能な耳式体温計プローブカバー取出し容器及びその製造方法を提出し、そのうち、耳式体温計プローブカバーは、中空本体及び環状フランジ構造を有する製品であり、この収縮可能な耳式体温計プローブカバー取出し容器は、複数の積み重ねられた耳式体温計プローブカバー（probe covers stacked within said main body）を収納する本体（main body）を含み、その一端に、耳式体温計のプローブを本体内の耳式体温計プローブカバーに挿入する取出口（an access opening）を有する。
本体の取出口に対する他端に、本体内の耳式体温計プローブカバーを積載する支持部１３を有する。本体は、主に複数段の部材が接続してなり、各部材は少なくとも１つの折り曲げ部を含み、部材の長手方向が圧縮力を受けたときに、折り曲げ部が折り曲がり収縮し、本体を長手方向に沿って収縮させ、本体の取出口近くの内側に制止素子を設け、耳式体温計プローブカバーの環状フランジを阻止し、耳式体温計プローブカバーが力を受けない状態のときに落下することを防止することを特徴とする。
【課題を解決するための手段】
【０００７】
本発明の主な目的は、少なくとも一端を開くことができ、耳式体温計をこの開口部から入れて取り出すと同時に覆い被せる方式で耳式体温計プローブカバーを耳式体温計のプローブに装着し、耳式体温計プローブカバーが力を受けない状態のときに耳式体温計プローブカバー取出し容器からの落下を防止することができる収縮可能な耳式体温計プローブカバー取出し容器を提供することにある。
【０００８】
本発明のもう１つの目的は、縮めることが可能な機能を有し、耳式体温計プローブカバーを耳式体温計に装着するときに、耳式体温計プローブカバーに直接接触することを防止することができる収縮可能な耳式体温計プローブカバー取出し容器を提供することにある。
【０００９】
本発明のさらにもう１つの目的は、出口に制止素子を有し、耳式体温計プローブカバーを移動するとき、又は逆に置くときに、耳式体温計プローブカバー取出し容器からの落下を防止することができる収縮可能な耳式体温計プローブカバー取出し容器を提供することにある。
【００１０】
本発明のさらにもう１つの目的は、出口に制止素子を有し、耳式体温計プローブカバーを取り出すときに、次の耳式体温計プローブカバーが同時に取り出されることを防止することができる収縮可能な耳式体温計プローブカバー取出し容器を提供することにある。
【００１１】
本発明のさらにもう１つの目的は、縮めた後に、縮めた後の状況を維持することができ、耳式体温計プローブカバーの位置を有効に固定し、ケース内で散乱しないようにする収縮可能な耳式体温計プローブカバー取出し容器を提供することにある。
【００１２】
本発明のさらにもう１つの目的は、蓋を有し、使用後に蓋をして、耳式体温計プローブカバーが汚染される問題の発生を有効に防止することができる収縮可能な耳式体温計プローブカバー取出し容器を提供することにある。
【００１３】
本発明のさらにもう１つの目的は、この耳式体温計プローブカバー取出し容器を耳式体温計台座上に引っ掛けるために便利な突起又は凹溝を有する収縮可能な耳式体温計プローブカバー取出し容器を提供することにある。
【発明の効果】
【００１４】
本発明は、医療看護要員が便利に使用することができ、医療看護要員が耳式体温計プローブカバーに直接接触することを防止することができる便利で有効な耳式体温計プローブカバー取出し容器を提供することができる。
【発明を実施するための最良の形態】
【００１５】
本発明は、耳式体温計プローブカバー取出し容器及びその製造方法を開示する。
利用されている耳式体温計の基本原理は、関連技術分野の通常の知識を有している者であれば理解することができるため、以下の文中の説明において、完全な説明は行わない。
また、以下の文中で参照する図面は、本発明の特徴に関する構造の概要を表したものであり、実際の寸法に基づき完全に製図することではなく、また必要もないことを先に述べておく。
【００１６】
図１Ａは、本発明の第１実施例であり、収縮可能な耳式体温計プローブカバー取出し容器１０である。
この耳式体温計プローブカバー取出し容器１０には、複数の耳式体温計プローブカバー１５が配置される。
各耳式体温計プローブカバー１５は、中空本体１５１及び環状フランジ１５２を有する。
この収縮可能な耳式体温計プローブカバー取出し容器１０は、複数の積み重ねられた耳式体温計プローブカバー１５（probe covers stacked within said main body）を収納する本体１１（main body）を含み、この収縮可能な耳式体温計プローブカバー取出し容器１０の一端に、耳式体温計のプローブを本体１１内の最上部の耳式体温計プローブカバー１５に挿入する取出口１２（an access opening）を有する。
本実施例において、本体１１の取出口１２に対する他端に支持部１３（bottom portion）を有する。
この支持部１３は、本体１１内の積み重ねられた複数の耳式体温計プローブカバー１５を積載することができる。
そのうち、本体１１は、主に複数段の部材１４により接続されてなる。
そのうちこの部材１４の断面構造は、円形、矩形、三角形、台形、又は多角形のいずれか一つとすることができる。
各部材１４は、少なくとも１つの折り曲げ部１４２を含む。
この折り曲げ部１４２の構造は、相互に分離したもの（図１Ａに示した中空矩形状）、又は相互に接続したもの（図１Ｂに示した提灯状（lantern type）、又は図１Ｃの螺旋体）とすることができる。
その構造が何であっても、部材１４の長手方向が圧縮を受けたとき、弾き戻しにくい特性を有すと同時に、折り曲げ部１４２が収縮して、本体１１をその縦に深い長手方向に沿って収縮させる。
また、本体１１取出口１２近くの内側に制止素子１１０を設けることで、耳式体温計プローブカバー１５の環状フランジ１５２を係止し、耳式体温計プローブカバー１５が力を受けない状態のときに耳式体温計プローブカバー取出し容器１０から落下することを防止する。
【００１７】
前記実施例において、各部材１４の折り曲げ部１４２を相互に分離した構造とする場合、各折り曲げ部１４２の各側辺にさらに側面開口部１４４（side opening）が設けてある。
この側面開口部１４４は、部材１４が力を受けたときに外向きに拡張することができる（図１Ａ参照）。
また、各部材１４の間は、接着剤を介して貼り合わせるか（sealing）、又は溶融（fusing）の方式のいずれかの手段で本体の各部材１４を接続して、収縮性を有する耳式体温計プローブカバー取出し容器１０を構成する。
また、本体１１は可撓性を有するため、本体１１は紙、又はプラスチックの材質を使用することができる。
また、耳式体温計プローブカバー取出し容器１０内部の側辺でその中の耳式体温計プローブカバー１５の環状フランジ１５２を挟むため、本体１１を少なくとも２つの側辺及び環状フランジ１５２に接するよう構成することができるようにし、耳式体温計プローブカバー１５を耳式体温計プローブカバー取出し容器１０に入れるときに、環状フランジ１５２の半径が環状フランジ１５２の中心から本体の少なくとも１つの接していない側辺までの距離よりも大きいことにより、本体の可撓性材質を介しこの本体の接していない側辺を環状フランジ１５２によって外に突き出させて環状フランジ１５２と接するようにする。
これによって耳式体温計プローブカバー１５が耳式体温計プローブカバー取出し容器から落下することを防止することができる。
また、本発明の耳式体温計プローブカバー取出し容器１０は、さらに耳式体温計プローブカバー取出し容器１０内の耳式体温計プローブカバー１５を覆い、耳式体温計プローブカバー１５が外部に直接接触して汚染されることを防止する上蓋１６（図示せず）を含むことができる。
【００１８】
図２Ａ及び図２Ｂは、本発明の第２実施例であり、収縮可能な耳式体温計プローブカバー取出し容器２０である。
この収縮可能な耳式体温計プローブカバー取出し容器２０は、複数の積み重ねられた耳式体温計プローブカバー（図示せず）を収納する本体２１を含む。
この収縮可能な耳式体温計プローブカバー取出し容器２０の一端に、耳式体温計のプローブを本体２１内の最上部の耳式体温計プローブカバーに挿入する取出口２２を有す。
本実施例において、本体２１は、主に複数段の部材２４により相互に内外に重なり合ってなる。
各部材２４の側壁は、１セットの長手方向に配列した複数の窪み部２４１を有する。
窪み部２４１の構造は、透かし彫りの方式により、側壁内表面から側壁外表面から貫通させるか、又は側壁外表面から側壁内表面に貫通させることができる。
本体２１の長手方向が圧縮力を受けるとき、部材の間は、相互に移動するために重なり合い、例えば、外部部材のうちの１つの窪み部２４１が、対応する内部部材の保持部２４２と相互に嵌合し、内外部材を嵌合によって固定して、抜けないようにする。
各部材２４が押される（push-down）だけで、引き上げる（pull-up）ことができない機能を確実にするため、内部部材の保持部２４２にガイド面２４３及び制止面２４４が設けてある。
このガイド面２４３を介して、内部部材はその保持部２４２のガイド面２４３を経て外部部材の窪み部２４１内に順方向にスライドさせることができる。
このとき、内部部材の制止面２４４が外部部材の窪み部にちょうど引っかかり、内部部材を外部部材２４の中に収納し、外部部材から逆向きにはずれにくくするため、部材の間が収縮し、固定し、抜けない効果を達成する。
本実施例において、部材２４の側壁に、２セットの長手方向に配列した複数の窪み部２４１をもたせることもできる。
この２セットの窪み部２４１は部材２４の直径の両端にほぼ位置する。
本実施例に記載した上側の部材（内部部材）の直径は、下側の部材（外部部材）の直径よりも小さいが、上側の部材（外部部材）の直径を下側の部材（内部部材）の直径より大きい方式に適用することもできる。
【００１９】
本実施例において、本体２１の取出口２２に対する他端に支持部２３を有し、この支持部２３は、本体２１内の積み重ねられた複数の耳式体温計プローブカバーを積載することができる。
また、本体２１の取出口２２近くの内側に制止素子２１０を設け、耳式体温計プローブカバーの環状フランジ（図示せず）を阻止し、耳式体温計プローブカバーが力を受けない状態のときに落下することを防止する。
本体２１の取出口２２に対する他端に支持部２３（bottom portion）を有し、本体２１内の耳式体温計プローブカバーを積載する。
窪み部２４１の構造は、透かし彫り状に設計することもできる。
また、図２の部材の数量は２個であるが、数量は少なくとも３個であるのが好ましい。
この部材２４の断面構造は、円形以外に、矩形、三角形、台形、又は多角形のいずれか一つとすることができる。
また、第１実施例に記載したように、さらに耳式体温計プローブカバー取出し容器でその中の耳式体温計プローブカバーフランジを挟むことができるために、本実施例において、部材２４の断面を多角形とする場合（図示せず）、部材２４を少なくとも２つの側辺及びフランジに接するよう構成することができ、耳式体温計プローブカバー１５を耳式体温計プローブカバー取出し容器１０に入れるときに、フランジの半径がフランジの中心から部材２４の少なくとも１つの接していない側辺までの距離よりも元々大きいことにより、本体の可撓性材質を介しその部材２４の接していない側辺をフランジによって外に突き出させてフランジと接するようにし、これによって耳式体温計プローブカバーが耳式体温計プローブカバー取出し容器から落下することを防止することができる。
【００２０】
前記実施例において、さらに支持部２３に隣接する窪み部２４１内に斜面２４５を設けることができる。
図２Ｃのように、この斜面２４５は、窪み部２４１に嵌合する保持部２４２を、この斜面２４５を介し窪み部２４１から外し、本体部材の取り外しを完了させることができる。
また、図２Ｄのように、さらに取出口２２に隣接する部材に軌道２６を設け、かつこの部材に向かい合う対応する部材に溝２７を設けることができる。部材を組立てるときに、軌道２６及び対応する溝２７を介して、軌道２６を有する部材を溝２７を有する対応する部材にさらに嵌合しやすくする。
【００２１】
図３は、本発明の第３実施例であり、収縮可能な耳式体温計プローブカバー取出し容器３０である。
耳式体温計プローブカバー３５は中空本体及び環状フランジを有する。
この収縮可能な耳式体温計プローブカバー取出し容器３０は、複数の積み重ねられた耳式体温計プローブカバー３５（probe covers stacked within said main body）を収容する本体３１（main body）を含む。
本体３１の一端に、耳式体温計のプローブを本体３１内の耳式体温計プローブカバー３５に挿入する取出口３２（an access opening）を有する。
また、本体３１の取出口３２に対する他端に、本体３１内の耳式体温計プローブカバー３５を積載する支持部３３（bottom portion）を有する。
本体３１は、主に複数段の部材３４により互いに内外に重なり合ってなる。
本実施例における部材の数は２個である。
各部材３４は特定の摩擦面を有し、本体３１の長手方向が圧縮力を受けるとき、各部材間の摩擦面が相互に移動して摩擦力Ｆをもたらし、内部部材及びその対応する外部部材が、摩擦力Ｆによって相互に固定され、抜けないようにする。
【００２２】
前記実施例において、部材３４間は、表面材質によって形成される接触摩擦のため、使用者が耳式体温計プローブカバー３５を取り出すときに、各部材３４間が接触して摩擦を起こし形成される摩擦力Ｆが使用者が耳式体温計プローブカバー３５を取り出すときの本体の伸長方向への力よりも大きく、使用者が耳式体温計プローブカバー３５を取り出す動作のために耳式体温計プローブカバー取出し容器３０の長さが長くなることを防止することができる。
また、部材３４の数量は少なくとも２個とし、また部材３４の断面構造は円形、矩形、三角形、台形、又は多角形のいずれか一つとすることができる。
また、第１実施例に記載したように、さらに耳式体温計プローブカバー取出し容器３０でその中の耳式体温計プローブカバーフランジを挟むことができるために、本実施例において、部材３４の断面を多角形とする場合（図示せず）、部材３４を少なくとも２つの側辺及びフランジに接するように構成することができる。
耳式体温計プローブカバー３５を耳式体温計プローブカバー取出し容器３０に入れるときに、フランジの半径がフランジの中心から部材３４の少なくとも１つの接していない側辺までの距離よりも元々大きいことにより、本体３１の可撓性材質を介しその部材３４の接していない側辺をフランジによって外に突き出させてフランジと接するようにする。
これによって耳式体温計プローブカバーが耳式体温計プローブカバー取出し容器から落下することを防止することができる。
第１実施例と同様に、本体３１は可撓性を有するため、紙、又はプラスチックの材質を使用することができる。
また、本体３１の取出口３２近くの内側に制止素子３１０が設けてあり、耳式体温計プローブカバー３５の環状フランジを阻止し、耳式体温計プローブカバー３５が力を受けない状態のときに落下することを防止する。
本実施例における耳式体温計プローブカバー取出し容器３０は、さらに耳式体温計プローブカバー取出し容器３０内の耳式体温計プローブカバー３５を覆い、耳式体温計プローブカバー３５が外部に直接接触して汚染されることを防止する上蓋（図示せず）を含むことができる。
【００２３】
また、本発明は、第１実施例の耳式体温計プローブカバー取出し容器構造に基づき、収縮可能な耳式体温計プローブカバー取出し容器の製造方法をさらに提供する。
耳式体温計プローブカバー取出し容器の製造方法は、本体１１及び支持部１３を提供するステップを含む。
図１Ａから図１Ｃまでのとおり、本体１１は、主に複数段の部材１４が接続してなる。
この部材１４の断面構造は、円形、矩形、三角形、台形、又は多角形のいずれか一つとすることができる。
支持部１３は本体１１の他端に設ける。すなわち本体の取出口２２に対応し、本体内の耳式体温計プローブカバーを積載する。
各部材１４は少なくとも１つの折り曲げ部１４２を含み、この折り曲げ部１４２の構造は、相互に分離したもの、又は相互に接続したものとすることができる。
本体１１及び部材１４の関連構造及び技術的特徴については、既述した第１実施例の記載と同じである。
【００２４】
また、本発明は、第２実施例の耳式体温計プローブカバー取出し容器構造に基づき、もう１種の収縮可能な耳式体温計プローブカバー取出し容器の製造方法をさらに提供する。
この製造方法は、本体２１及び支持部２３を提供するステップを含む。
図２Ａから図２Ｄまでのとおり、本体２１は、主に複数段の部材２４が接続してなる。
各部材２４の側壁は１セットの長手方向に配列した複数の窪み部２４１を有する。
窪み部２４１の構造は、透かし彫りの方式により、側壁内表面から側壁外表面に貫通させるか、又は側壁外表面から側壁内表面に貫通させることができる。
また、この部材２４の断面構造は、円形、矩形、三角形、台形、又は多角形のいずれか一つとすることができる。
支持部２３は本体２１の他端に設ける。すなわち本体の取出口２２に対応し、本体内の耳式体温計プローブカバーを積載し、本体２１及び部材２４の関連構造及び技術的特徴については、第２実施例の記載と同じである。
【００２５】
また、本発明は、第３実施例の耳式体温計プローブカバー取出し容器構造に基づき、さらにもう１種の収縮可能な耳式体温計プローブカバー取出し容器の製造方法をさらに提供する。
この製造方法は、本体３１及び支持部３３の提供するステップを含む。
図３のとおり、本体３１は、主に複数段の部材３４が接続してなる。
各部材３４は特定の摩擦面を有し、本体３１の長手方向が圧縮力を受けるとき、各部材間の摩擦面が相互に移動して摩擦力Ｆをもたらし、内部部材及びその対応する外部部材が、その摩擦力Ｆによって相互に固定され、抜けないようにする。
また、この部材３４の断面構造は、円形、矩形、三角形、台形、又は多角形のいずれか一つとすることができ、支持部３３は本体３１の他端に設ける。
すなわち本体の取出口３２に対応し、本体内の耳式体温計プローブカバーを積載し、本体３１及び部材３４の関連構造及び技術的特徴については、第３実施例の記載と同じである。
【００２６】
以上の記載は本発明の比較的優れた実施例の記載にすぎず、本発明を限定するものではない。
また、以上の説明は、本技術分野を熟知した専門家であれば理解し、実施することができるため、本発明で開示された主旨を逸脱せずに完成したその他の同等の変更、又は修飾は、いずれも本発明に含まれるものである。
【図面の簡単な説明】
【００２７】
【図１Ａ】本発明に係る第１実施例の収縮可能な耳式体温計プローブカバー取出し容器の概要図である。
【図１Ｂ】収縮可能な耳式体温計プローブカバー取出し容器のもう１つの概要図である。
【図１Ｃ】収縮可能な耳式体温計プローブカバー取出し容器のさらにもう１つの概要図である。
【図２Ａ】本発明に係る第２実施例の収縮可能な耳式体温計プローブカバー取出し容器の概要図である。
【図２Ｂ】本発明に係る第２実施例の収縮可能な耳式体温計プローブカバー取出し容器の断面図である。
【図２Ｃ】本発明に係る第２実施例の収縮可能な耳式体温計プローブカバー取出し容器の概要図である。
【図２Ｄ】本発明に係る第２実施例の収縮可能な耳式体温計プローブカバー取出し容器の概要図である。
【図３】本発明に係る第３実施例の収縮可能な耳式体温計プローブカバー取出し容器の概要図である。
【符号の説明】
【００２８】
１０、２０、３０      耳式体温計プローブカバー取出し容器
１５、３５            耳式体温計プローブカバー
１１、２１、３１      本体
１２、２２、３２      取出口
１３、２３、３３      支持部
１４、２４、３４      部材
１４２                折り曲げ部
１１０、２１０        制止素子
１４４                側面開口部
２４１                窪み部
２４２                保持部
２４３                ガイド面
２４４                制止面
２４５                斜面
２６                  軌道
２７                  溝
【図１Ａ】
0004649493.tif 000002
【図１Ｂ】
0004649493.tif 000003
【図１Ｃ】
0004649493.tif 000004
【図２Ａ】
0004649493.tif 000005
【図２Ｂ】
0004649493.tif 000006
【図２Ｃ】
0004649493.tif 000007
【図２Ｄ】
0004649493.tif 000008
【図３】
0004649493.tif 000009